(57)【特許請求の範囲】
【請求項１】
エンドユーザによる使用のための仮想画像生成システムのためのディスプレイサブシステムであって、前記ディスプレイサブシステムは、
平面導波管装置と、
前記平面導波管装置に対して取り付けられている遠位先端と前記遠位先端の近位の開口とを有する光ファイバと、
前記光ファイバに結合され、光を前記光ファイバの前記開口から放出するために構成されている少なくとも１つの光源と、
機械的駆動アセンブリであって、前記光ファイバは、前記機械的駆動アセンブリに搭載され、前記機械的駆動アセンブリは、走査パターンに従って前記光ファイバの前記開口を変位させるために構成されている、機械的駆動アセンブリと、
前記平面導波管装置が１つ以上の画像フレームを前記エンドユーザに表示するように、前記光を前記光ファイバの前記開口から前記平面導波管装置に沿って向かわせるために構成されている光学導波管入力装置と
を備えている、ディスプレイサブシステム。
【請求項２】
前記光ファイバの前記遠位先端は、前記平面導波管装置に搭載されている、請求項１に記載のディスプレイサブシステム。
【請求項３】
前記光ファイバからの光をコリメートするために構成されているコリメート要素をさらに備え、前記光学導波管入力装置は、前記コリメート要素からのコリメートされた光を前記平面導波管装置に沿って向かわせるために構成されている、請求項１に記載のディスプレイサブシステム。
【請求項４】
前記コリメート要素は、前記光ファイバの前記開口上に搭載されている、請求項３に記載のディスプレイサブシステム。
【請求項５】
前記コリメート要素は、レンズである、請求項４に記載のディスプレイサブシステム。
【請求項６】
前記レンズは、マイクロレンズである、請求項５に記載のディスプレイサブシステム。
【請求項７】
前記コリメート要素は、前記平面導波管装置に搭載されている、請求項３に記載のディスプレイサブシステム。
【請求項８】
前記光ファイバの前記開口から放出される光は、より小さいエリアに集中させられる、請求項１に記載のディスプレイサブシステム。
【請求項９】
前記光ファイバの前記開口から放出される光は、焦点に集中させられる、請求項１に記載のディスプレイサブシステム。
【請求項１０】
前記より小さいエリアは、前記光学導波管入力装置内に位置している、請求項８に記載のディスプレイサブシステム。
【請求項１１】
前記機械的駆動アセンブリは、前記光ファイバが搭載されている圧電要素と、駆動電子機器とを備え、前記駆動電子機器は、電気信号を前記圧電要素に伝達し、それによって、前記光ファイバに前記走査パターンに従って振動させるために構成されている、請求項１に記載のディスプレイサブシステム。
【請求項１２】
前記光ファイバは、一次振動モードで振動させられる、請求項１１に記載のディスプレイサブシステム。
【請求項１３】
前記平面導波管装置は、複数の平面導波管を備え、前記複数の平面導波管は、それぞれ、前記１つ以上の画像フレームを異なる焦点において前記エンドユーザに表示するために構成され、前記光学導波管入力装置は、前記開口からの前記光を前記複数の平面導波管に沿って向かわせるために構成されている、請求項１に記載のディスプレイサブシステム。
【請求項１４】
前記光学導波管入力装置は、複数の回折光学要素を備え、前記複数の回折光学要素は、それぞれ、前記平面導波管に沿って平行に延び、前記複数の回折光学要素は、それぞれ、前記開口からの前記光を前記平面導波管に沿って向かわせる、請求項１３に記載のディスプレイサブシステム。
【請求項１５】
前記光学導波管入力装置は、前記平面導波管と垂直に延びている分配用導波管を備え、前記分配用導波管は、複数の回折光学要素を備え、前記複数の回折光学要素は、それぞれ、前記開口からの前記光を前記平面導波管に沿って向かわせる、請求項１３に記載のディスプレイサブシステム。
【請求項１６】
前記平面導波管装置は、前記エンドユーザの眼の正面に位置付けられるために構成されている、請求項１に記載のディスプレイサブシステム。
【請求項１７】
前記平面導波管装置は、前記エンドユーザの眼と周囲環境との間で視野内に位置付けられるために構成されている部分的に透明なディスプレイ表面を有する、請求項１に記載のディスプレイサブシステム。
【請求項１８】
前記エンドユーザによって装着されるために構成されているフレーム構造をさらに備え、前記フレーム構造は、前記平面導波管装置を支持している、請求項１に記載のディスプレイサブシステム。
【請求項１９】
エンドユーザによる使用のための仮想画像生成システムであって、前記仮想画像生成システムは、
３次元場面を記憶しているメモリと、
前記３次元場面の複数の合成画像フレームをレンダリングするために構成されている制御サブシステムと、
請求項１に記載のディスプレイサブシステムであって、前記ディスプレイサブシステムは、前記複数の合成画像フレームを前記エンドユーザに連続して表示するために構成されている、ディスプレイサブシステムと
を備えている、仮想画像生成システム。
【請求項２０】
前記制御サブシステムは、グラフィック処理ユニット（ＧＰＵ）を備えている、請求項１９に記載の仮想画像生成システム。
【発明の詳細な説明】
【技術分野】
【０００１】
本発明は、概して、１人以上のユーザのための双方向仮想もしくは拡張現実環境を促進するように構成されるシステムおよび方法に関する。
【背景技術】
【０００２】
現代のコンピューティングおよびディスプレイ技術は、いわゆる「仮想現実」または「拡張現実」体験のためのシステムの開発を促進しており、デジタル的に再現された画像またはその一部が、現実であるように見える様式、もしくはそのように知覚され得る様式でユーザに提示される。仮想現実（ＶＲ）シナリオは、典型的には、他の実際の実世界の視覚的入力に対する透明性を伴わずに、デジタルまたは仮想画像情報の提示を伴う一方、拡張現実（ＡＲ）シナリオは、典型的には、エンドユーザの周囲の実際の世界の可視化に対する拡張としてのデジタルまたは仮想画像情報の提示を伴う。
【０００３】
例えば、図１を参照すると、拡張現実場面４が、描写されており、ＡＲ技術のユーザは、背景における人々、木々、建物を特徴とする実世界公園状設定６と、実在のプラットフォーム８とを見る。これらのアイテムに加え、ＡＲ技術のエンドユーザは、実世界プラットフォーム８上に立っているロボット像１０と、マルハナバチの擬人化のように見える、飛んでいる漫画のようなアバタキャラクタ１２とも「見ている」と知覚するが、これらの要素１０、１２は、実世界には存在しない。結論からいうと、ヒトの視知覚系は、非常に複雑であり、他の仮想または実世界画像要素間における仮想画像要素の快適で、自然のような感覚で、かつ豊かな提示を促進するＶＲまたはＡＲ技術の生成は、困難である。
【０００４】
ＶＲおよびＡＲシステムは、典型的には、エンドユーザの頭部に少なくとも緩く装着され、したがって、ユーザの頭部が移動すると移動する頭部装着型ディスプレイ（またはヘルメット搭載型ディスプレイもしくはスマートグラス）を採用する。エンドユーザの頭部の運動が、ディスプレイシステムによって検出される場合、表示されているデータは、頭部の姿勢（すなわち、ユーザの頭部の向きおよび／または場所）の変化を考慮するように更新されることができる。
【０００５】
例として、頭部装着型ディスプレイを装着しているユーザが、３次元（３Ｄ）オブジェクトの仮想表現をディスプレイ上で視認し、３Ｄオブジェクトが見えるエリアの周囲を歩く場合、その３Ｄオブジェクトは、各視点のために再レンダリングされ、エンドユーザに、実空間を占有するオブジェクトの周囲を歩いているという知覚を与えることができる。頭部装着型ディスプレイが、複数のオブジェクトを仮想空間内に提示するために使用される場合（例えば、豊かな仮想世界）、場面を再レンダリングして、エンドユーザの動的に変化する頭部の場所および向きに一致し、仮想空間で増加した没入感を提供するために、頭部の姿勢の測定を使用することができる。
【０００６】
ＡＲ（すなわち、実および仮想要素の同時視認）を可能にする頭部装着型ディスプレイは、いくつかの異なるタイプの構成を有することができる。多くの場合、「ビデオシースルー」ディスプレイと称される１つのそのような構成では、カメラが、実際の場面の要素を捕捉し、コンピューティングシステムが、仮想要素を捕捉された実場面上に重なり、非透明ディスプレイが、複合画像を眼に提示する。別の構成は、多くの場合、「光学シースルー」ディスプレイと称され、エンドユーザは、ディスプレイシステム内の透明（または半透明）要素を通して見て、環境内の実オブジェクトからの光を直接視認することができる。多くの場合、「結合器」と称される、透明要素は、実世界のエンドユーザの視点にわたってディスプレイからの光を重ねる。
【０００７】
ＶＲおよびＡＲシステムは、典型的には、投影サブシステムと、エンドユーザの視野の正面に位置付けられ、投影サブシステムが画像フレームを連続して投影する、ディスプレイ表面とを有するディスプレイシステムを採用する。真の３次元システムでは、ディスプレイ表面の深度は、フレームレートまたはサブフレームレートにおいて制御されることができる。投影サブシステムは、その中に１つ以上の光源からの光が異なる色の光を定義されたパターンで放出する１つ以上の光ファイバと、光ファイバを所定のパターンで走査し、エンドユーザに連続して表示される画像フレームを作成する、走査デバイスとを含み得る。
【０００８】
一実施形態では、ディスプレイシステムは、ユーザの視野と略平行である１つ以上の平面導波管を含み、平面導波管の中に光ファイバからの光が投入される。１つ以上の線形回折格子が、導波管内に埋設され、導波管に沿って伝搬する入射光の角度を変化させる。光の角度を全内部反射（ＴＩＲ）の閾値を超えて変化させることによって、光は、導波管の１つ以上の側方面から逃散する。線形回折格子は、低回折効率を有し、したがって、光が線形回折格子に遭遇する度に、一部の光エネルギーのみが、導波管の外に向かわせられる。格子に沿った複数の場所において光を外部結合することによって、ディスプレイシステムの射出瞳は、効果的に増加させられる。ディスプレイシステムはさらに、光ファイバから来る光をコリメートする１つ以上のコリメート要素と、コリメートされた光を導波管の縁にまたはそこから光学的に結合する１つ以上の光学結合要素とを備え得る。
【０００９】
典型的光ファイバ走査ディスプレイシステムでは、各光ファイバは、設計された走査パターンに従って光を走査するために、支点からの比較的に大きい振れを通して掃引する振動カンチレバーとしての役割を果たす。しかしながら、コリメートされた光の大きい振れに起因して、光学結合要素のサイズは、比較的に大きくなければならず、それによって、ディスプレイシステムのサイズを増加させる。光学結合要素のこのサイズは、スタックされた導波管アーキテクチャの場合、より問題となり、スタックされた導波管アーキテクチャは、走査光ファイバからのより離れた導波管に関連付けられた光学要素が走査されるコリメートされた光のより大きいスパンに対処するためにより大きくあるべきことを要求する。
【００１０】
例えば、図２を参照すると、ディスプレイシステム２０の一実施形態は、空間的および／または時間的に変動する光の形態でエンコードされた画像データを生成する１つ以上の光源２２と、光源２２に光学的に結合される、光ファイバ２４と、光ファイバ２４の遠位端を出た光をコリメートするコリメート要素２６とを備えている。ディスプレイシステム２０はさらに、光ファイバ２４が固定−自由可撓性カンチレバーとして搭載される圧電要素２８と、圧電要素２２に電気的に結合された駆動電子機器３０とを備え、駆動電子機器３０は、圧電要素２８をアクティブにし、電気的に刺激し、それによって、光ファイバ２４の遠位端が支点３４を中心とした振れ３２を作成する所定の走査パターンで振動するようにする。
【００１１】
ディスプレイシステム２０は、エンドユーザの視野と略平行の複数の平面導波管４０ａ−４０ｅを含む導波管装置３８と、平面導波管４０の各々に関連付けられた１つ以上の回折光学要素（ＤＯＥ）４２ａ−４２ｅとを含む。光ファイバ２４から生じる光は、平面導波管４０のうちの選択されたものに沿って伝搬し、対応するＤＯＥ４２と交差し、光の一部がエンドユーザの眼に向かって導波管装置３８の面を出ることを生じ、その光は、選択された平面導波管４０に応じて１つ以上の視認距離に集中させられる。
【００１２】
ディスプレイシステム２０はさらに、回折光学要素（ＤＯＥ）４４ａ−４４ｅの形態における光学結合要素を備え、回折光学要素は、それぞれの平面導波管４０ａ−４０ｅの端部内に統合され、コリメートされた光を平面導波管４０の選択されたものの中に反射する。図から分かるように、各ＤＯＥ４４と光ファイバ２４の端部との間の距離が増加するにつれて、それぞれのＤＯＥ４４の長さも、光ファイバ２４の振れ角度の増加する線形スパンに対処するために増加しなければならない。これは、必然的に、最大ＤＯＥ４４（この場合、ＤＯＥ４４ｅ）に起因して、サイズおよび複雑性を導波管装置３８に追加する。
【００１３】
別の例として、図３を参照すると、ディスプレイシステム５０の別の実施形態は、図２のディスプレイシステム１０に類似するが、ディスプレイシステム５０は、コリメートされた光を平面導波管４０の選択されたものの中に反射させる、ＤＯＥ５４ａ−５４ｅを有する光学分配用導波管５２の形態における光学結合要素を備えている。分配用導波管５２の幅は、光ファイバ２４の振れ角度の最大線形スパンに対処するために十分に大きくなければならず、それによって、必然的に、サイズおよび複雑性を導波管装置３８に追加する。
【００１４】
したがって、仮想現実または拡張現実環境において、１つ以上の光ファイバからの光を１つ以上の平面導波管の中に結合するために使用される光学結合要素のサイズを低減させる必要性がある。
【発明の概要】
【課題を解決するための手段】
【００１５】
本発明の実施形態は、１人以上のユーザのために、仮想現実および／または拡張現実相互作用を促進するためのデバイス、システム、および方法を対象とする。仮想画像生成システムは、例えば、３次元場面を記憶しているメモリと、３次元場面の複数の合成画像フレームをレンダリングするために構成されている制御サブシステムとを備え得、その場合、ディスプレイサブシステムは、複数の画像フレームをエンドユーザに連続して表示するために構成され得る。
【００１６】
本発明によると、エンドユーザによる使用のための仮想画像生成システムのためのディスプレイサブシステムが、提供される。ディスプレイサブシステムは、平面導波管装置を備えている。一実施形態では、平面導波管装置は、エンドユーザの眼の正面に位置付けられるために構成される。別の実施形態では、平面導波管装置は、エンドユーザの眼と周囲環境との間で視野内に位置付けられるために構成されている部分的に透明なディスプレイ表面を有する。さらに別の実施形態では、ディスプレイサブシステムはさらに、エンドユーザによって装着されるために構成されているフレーム構造を備え、その場合、フレーム構造は、平面導波管装置を支持する。
【００１７】
ディスプレイサブシステムはさらに、平面導波管装置に対して取り付けられる（例えば、搭載される）遠位先端と、遠位先端の近位の開口とを有する光ファイバを備えている。ディスプレイサブシステムはさらに、光ファイバに結合され、光を光ファイバの開口から放出するために構成されている少なくとも１つの光源と、機械的駆動アセンブリであって、光ファイバが駆動アセンブリに搭載される、機械的駆動アセンブリとを備えている。機械的駆動アセンブリは、走査パターンに従って光ファイバの開口を変位させるために構成される。一実施形態では、機械的駆動アセンブリは、光ファイバが搭載されている圧電要素と、電気信号を圧電要素に伝達し、それによって、走査パターンに従って光ファイバに振動させる（例えば、一次振動モードで）ために構成される駆動電子機器とを備えている。
【００１８】
ディスプレイサブシステムはさらに、平面導波管装置が１つ以上の画像フレームをエンドユーザに表示するように、光ファイバの開口からの光を平面導波管装置に沿って向かわせるために構成されている光学導波管入力装置を備えている。一実施形態では、光ファイバの開口から放出される光は、例えば、光学導波管入力装置内に位置する焦点等のより小さいエリアに内向きに収束する。
【００１９】
一実施形態では、平面導波管装置は、それぞれ、１つ以上の画像フレームを異なる焦点においてエンドユーザに表示するために構成される複数の平面導波管を備え、光学導波管入力装置は、光学変調装置からの光を複数の平面導波管に沿って向かわせるために構成される。光学導波管入力装置は、それぞれ、平面導波管に沿って平行に延びている複数の回折光学要素を備え得、その場合、複数の回折光学要素の各々は、光学変調装置からの光を平面導波管に沿って向かわせる。代替として、光学導波管入力装置は、平面導波管と垂直に延びている分配用導波管を備え得、その場合、分配用導波管は、それぞれ、光学変調装置からの光を平面導波管に沿って向かわせる複数の回折光学要素を備えている。
【００２０】
随意に、ディスプレイサブシステムはさらに、光ファイバからの光をコリメートするために構成されているコリメート要素を備え、その場合、光学導波管入力装置は、コリメート要素からのコリメートされた光を平面導波管装置に沿って向かわせるために構成される。コリメート要素は、光ファイバの開口上に搭載され得、その場合、コリメート要素は、マイクロレンズ等のレンズの形態をとり得る。または、コリメート要素は、平面導波管装置に搭載され得る。
【００２１】
本発明の追加のおよび他の目的、特徴、ならびに利点が、発明を実施するための形態、図、および請求項で説明される。
本発明は、例えば、以下を提供する。
（項目１）
エンドユーザによる使用のための仮想画像生成システムのためのディスプレイサブシステムであって、前記ディスプレイサブシステムは、
平面導波管装置と、
前記平面導波管装置に対して取り付けられている遠位先端と前記遠位先端の近位の開口とを有する光ファイバと、
前記光ファイバに結合され、光を前記光ファイバの開口から放出するために構成されている少なくとも１つの光源と、
機械的駆動アセンブリであって、前記光ファイバは、駆動アセンブリに搭載され、前記機械的駆動アセンブリは、前記走査パターンに従って前記光ファイバの前記開口を変位させるために構成されている、機械的駆動アセンブリと、
前記平面導波管装置が１つ以上の画像フレームを前記エンドユーザに表示するように、前記光を前記光ファイバの前記開口から前記平面導波管装置に沿って向かわせるために構成されている光学導波管入力装置と
を備えている、ディスプレイサブシステム。
（項目２）
前記光ファイバの前記遠位先端は、前記平面導波管装置に搭載されている、項目１に記載のディスプレイサブシステム。
（項目３）
前記光ファイバからの光をコリメートするために構成されているコリメート要素をさらに備え、前記光学導波管入力装置は、前記コリメート要素からのコリメートされた光を前記平面導波管装置に沿って向かわせるために構成されている、項目１に記載のディスプレイサブシステム。
（項目４）
前記コリメート要素は、前記光ファイバの前記開口上に搭載されている、項目３に記載のディスプレイサブシステム。
（項目５）
前記コリメート要素は、レンズである、項目４に記載のディスプレイサブシステム。
（項目６）
前記レンズは、マイクロレンズである、項目５に記載のディスプレイサブシステム。
（項目７）
前記コリメート要素は、前記平面導波管装置に搭載されている、項目３に記載のディスプレイサブシステム。
（項目８）
前記光ファイバの前記開口から放出される光は、より小さいエリアに内向きに収束する、項目１に記載のディスプレイサブシステム。
（項目９）
前記光ファイバの前記開口から放出される光は、焦点に内向きに収束する、項目１に記載のディスプレイサブシステム。
（項目１０）
前記より小さいエリアは、前記光学導波管入力装置内に位置している、項目８に記載のディスプレイサブシステム。
（項目１１）
前記機械的駆動アセンブリは、前記光ファイバが搭載されている圧電要素と、駆動電子機器とを備え、前記駆動電子機器は、電気信号を前記圧電要素に伝達し、それによって、前記光ファイバに前記走査パターンに従って振動させるために構成されている、項目１に記載のディスプレイサブシステム。
（項目１２）
前記光ファイバは、一次振動モードで振動させられる、項目１１に記載のディスプレイサブシステム。
（項目１３）
前記平面導波管装置は、複数の平面導波管を備え、前記複数の平面導波管は、それぞれ、前記１つ以上の画像フレームを異なる焦点において前記エンドユーザに表示するために構成され、前記光学導波管入力装置は、光学変調装置からの光を前記複数の平面導波管に沿って向かわせるために構成されている、項目１に記載のディスプレイサブシステム。
（項目１４）
前記光学導波管入力装置は、複数の回折光学要素を備え、前記複数の回折光学要素は、それぞれ、前記平面導波管に沿って平行に延び、前記複数の回折光学要素は、それぞれ、前記光学変調装置からの前記光を前記平面導波管に沿って向かわせる、項目１３に記載のディスプレイサブシステム。
（項目１５）
前記光学導波管入力装置は、前記平面導波管と垂直に延びている分配用導波管を備え、前記分配用導波管は、複数の回折光学要素を備え、前記複数の回折光学要素は、それぞれ、前記光学変調装置からの前記光を前記平面導波管に沿って向かわせる、項目１３に記載のディスプレイサブシステム。
（項目１６）
前記平面導波管装置は、前記エンドユーザの眼の正面に位置付けられるために構成されている、項目１に記載のディスプレイサブシステム。
（項目１７）
前記平面導波管装置は、前記エンドユーザの眼と周囲環境との間で視野内に位置付けられるために構成されている部分的に透明なディスプレイ表面を有する、項目１に記載のディスプレイサブシステム。
（項目１８）
前記エンドユーザによって装着されるために構成されているフレーム構造をさらに備え、前記フレーム構造は、前記平面導波管装置を支持している、項目１に記載のディスプレイサブシステム。
（項目１９）
エンドユーザによる使用のための仮想画像生成システムであって、前記システムは、
３次元場面を記憶しているメモリと、
前記３次元場面の複数の合成画像フレームをレンダリングするために構成されている制御サブシステムと、
項目１に記載のディスプレイサブシステムであって、前記ディスプレイサブシステムは、前記複数の画像フレームを前記エンドユーザに連続して表示するために構成されている、ディスプレイサブシステムと
を備えている、仮想画像生成システム。
（項目２０）
前記制御サブシステムは、グラフィック処理ユニット（ＧＰＵ）を備えている、項目１９に記載の仮想画像生成システム。
【図面の簡単な説明】
【００２２】
図面は、本発明の実施形態の設計および有用性を図示し、類似要素は、共通参照番号によって参照される。本発明の前述および他の利点ならびに目的が得られる方法をより深く理解するために、簡単に前述された本発明のより詳細な説明が、付随の図面に図示されるその具体的実施形態を参照することによって与えられるであろう。これらの図面は、本発明の典型的実施形態のみを描写し、したがって、その範囲の限定と見なされるべきではないことを理解した上で、本発明は、付随の図面の使用を通して追加の具体性および詳細とともに説明ならびに記載されるであろう。
【００２３】
【図１】図１は、従来技術の拡張現実生成デバイスによってエンドユーザに表示され得る３次元拡張現実場面の写真である。
【００２４】
【図２】図２は、拡張現実生成デバイス内で使用され得る従来技術のディスプレイシステムの一実施形態の平面図である。
【００２５】
【図３】図３は、拡張現実生成デバイス内で使用され得る従来技術のディスプレイシステムの別の実施形態の平面図である。
【００２６】
【図４】図４は、本発明の一実施形態に従って構築される仮想画像生成システムのブロック図である。
【００２７】
【図５】図５は、図４の仮想画像生成システムによって生成される例示的フレームの平面図である。
【００２８】
【図６】図６は、フレームを生成するために使用され得る１つの走査パターンの平面図である。
【００２９】
【図７】図７は、フレームを生成するために使用され得る別の走査パターンの平面図である。
【００３０】
【図８】図８は、フレームを生成するために使用され得るさらに別の走査パターンの平面図である。
【００３１】
【図９】図９は、フレームを生成するために使用され得るさらに別の走査パターンの平面図である。
【００３２】
【図１０Ａ】図１０ａは、図４の仮想画像生成システムを装着するために使用され得る１つの技法の平面図である。
【００３３】
【図１０Ｂ】図１０ｂは、図４の仮想画像生成システムを装着するために使用され得る別の技法の平面図である。
【００３４】
【図１０Ｃ】図１０ｃは、図４の仮想画像生成システムを装着するために使用され得るさらに別の技法の平面図である。
【００３５】
【図１０Ｄ】図１０ｄは、図４の仮想画像生成システムを装着するために使用され得るさらに別の技法の平面図である。
【００３６】
【図１１】図１１は、図４の仮想画像生成システムにおいて使用するためのディスプレイサブシステムの一実施形態の平面図である。
【００３７】
【図１２】図１２は、図１１のディスプレイサブシステムにおいて使用するための一次平面導波管の一実施形態である。
【００３８】
【図１３Ａ】図１３ａは、図４の仮想画像生成システムにおいて使用するためのディスプレイサブシステムの一実施形態の斜視図である。
【００３９】
【図１３Ｂ】図１３ｂは、特に、１つの焦点から延びている光線を示す、図１３ａのディスプレイサブシステムの斜視図である。
【００４０】
【図１３Ｃ】図１３ｃは、特に、別の焦点から延びている光線を示す、図１３ａのディスプレイサブシステムの斜視図である。
【００４１】
【図１４】図１４は、図４の仮想画像生成システムにおいて使用するためのディスプレイサブシステムの別の実施形態の平面図である。
【００４２】
【図１５】図１５は、図１３のディスプレイサブシステムにおいて使用するための平面導波管装置の一実施形態の平面図である。
【００４３】
【図１６】図１６は、図１３のディスプレイサブシステムにおいて使用するための平面導波管装置の別の実施形態の平面図である。
【００４４】
【図１７】図１７は、図１６の平面導波管装置の投影図である。
【００４５】
【図１８】図１８は、図１３のディスプレイサブシステムにおいて使用するための平面導波管装置に接続される走査デバイスの一部の一実施形態の平面図である。
【００４６】
【図１９】図１９は、特に、一次振動モードにおける光ファイバの振動を示す、図１８の走査デバイスの一部の平面図である。
【００４７】
【図２０Ａ】図２０ａは、特に、光学導波管入力装置の中心における焦点上への光ビームの収束を示す、コリメート要素の一実施形態を有する光学導波管入力装置と相互作用する図１８の走査デバイスの一部の平面図である。
【００４８】
【図２０Ｂ】図２０ｂは、特に、光学導波管入力装置の中心における焦点上への光ビームの収束を示す、コリメート要素の別の実施形態を有する光学導波管入力装置と相互作用する図１８の走査デバイスの一部の平面図である。
【００４９】
【図２０Ｃ】図２０ｃは、特に、光学導波管入力装置の縁における焦点上への光ビームの収束を示す、コリメート要素の一実施形態を有する光学導波管入力装置と相互作用する図１８の走査デバイスの一部の平面図である。
【００５０】
【図２１Ａ】図２１ａは、図１１のディスプレイサブシステム内で使用され得る光学導波管入力装置の一実施形態である。
【００５１】
【図２１Ｂ】図２１ｂは、図１１のディスプレイサブシステム内で使用され得る光学導波管入力装置の別の実施形態である。
【発明を実施するための形態】
【００５２】
続く説明は、仮想現実および／または拡張現実システムにおいて使用されるべきディスプレイシステムおよび方法に関する。しかしながら、本発明は、仮想または拡張現実システムにおける用途に有用であるが、本発明は、その最も広範な側面では、そのように限定されないこともあることを理解されたい。
【００５３】
図４を参照して、本発明に従って構築される仮想画像生成システム１００の一実施形態が、ここで説明されるであろう。仮想画像生成システム１００は、拡張現実サブシステムとして動作させられ、エンドユーザ５０の視野内の物理的オブジェクトと混合された仮想オブジェクトの画像を提供し得る。仮想画像生成システム１００を動作させるときの２つの基本アプローチが存在する。第１のアプローチは、１つ以上の撮像機（例えば、カメラ）を採用し、周囲環境の画像を捕捉する。仮想画像生成システム１００は、仮想画像を周囲環境の画像を表すデータの中に混合させる。第２のアプローチは、１つ以上の少なくとも部分的に透明な表面を採用し、それを通して周囲環境が見られることができ、その上に仮想画像生成システム１００が、仮想オブジェクトの画像を生成する。
【００５４】
仮想画像生成システム１００および本明細書に教示される種々の技法は、拡張現実および仮想現実サブシステム以外の用途でも採用され得る。例えば、種々の技法は、任意の投影もしくはディスプレイサブシステムに適用され得、移動が頭部ではなくエンドユーザの手によって行われ得るピコプロジェクタに適用され得る。したがって、多くの場合、拡張現実サブシステムまたは仮想現実サブシステムの観点から本明細書に説明されるが、本教示は、そのような使用のそのようなサブシステムに限定されるべきではない。
【００５５】
少なくとも拡張現実用途のために、種々の仮想オブジェクトをエンドユーザ５０の視野内のそれぞれの物理的オブジェクトに対して空間的に位置付けることが望ましくあり得る。仮想オブジェクトは、本明細書では、仮想タグまたはコールアウトとも称され、多種多様な形態、基本的に、画像として表されることが可能な任意の種々のデータ、情報、概念、または論理構造のいずれかをとり得る。仮想オブジェクトの非限定的例として、仮想テキストオブジェクト、仮想数字オブジェクト、仮想英数字オブジェクト、仮想タグオブジェクト、仮想フィールドオブジェクト、仮想チャートオブジェクト、仮想マップオブジェクト、仮想計装オブジェクト、または物理的オブジェクトの仮想視覚表現が挙げられ得る。
【００５６】
この目的を達成するために、仮想画像生成システム１００は、エンドユーザ５０によって装着されるフレーム構造１０２と、ディスプレイサブシステム１０４であって、ディスプレイサブシステム１０４は、エンドユーザ５０の眼５２の正面に位置付けられるように、フレーム構造１０２によって支持される、ディスプレイサブシステム１０４と、スピーカ１０６であって、スピーカ１０６は、エンドユーザ５０の外耳道に隣接して位置付けられる（随意に、別のスピーカ（図示せず）がエンドユーザ５０の他方の外耳道に隣接して位置付けられ、ステレオ／成形可能音制御を提供する）ようにフレーム構造１０２によって支持される、スピーカ１０６とを備えている。ディスプレイサブシステム１０４は、エンドユーザ５０の眼５２に、高レベルの画質および３次元知覚を伴って、物理的現実に対する拡張として快適に知覚されることができ、かつ２次元コンテンツを提示可能であり得る光ベースの放射パターンを提示するように設計される。ディスプレイサブシステム１０４は、一続きの合成画像フレームを高周波数で提示し、単一コヒーレント場面の知覚を提供する。
【００５７】
ディスプレイサブシステム１０４は、投影サブシステム１０８と、投影サブシステム１０８が画像を投影する部分的に透明なディスプレイ画面１１０とを備えている。ディスプレイ画面１１０は、エンドユーザ５０の眼５２と周囲環境との間のエンドユーザ５０の視野内に位置付けられる。
【００５８】
図示される実施形態では、投影サブシステム１０８は、光ファイバ走査ベースの投影デバイスの形態をとり、ディスプレイ画面１１０は、導波管ベースのディスプレイの形態をとり、投影サブシステム１０８からの走査された光が、導波管ベースのディスプレイ中に投入され、例えば、無限遠より近い単一光学視認距離（例えば、腕の長さ）における画像、複数の離散光学視認距離もしくは焦点面における画像、および／または、複数の視認距離もしくは焦点面にスタックされ、立体３Ｄオブジェクトを表す画像層を生成する。明視野内のこれらの層は、ヒト視覚副系に一緒に連続して見えるように十分に近接してスタックされ得る（すなわち、一方の層は、隣接する層の乱信号円錐域内にある）。加えて、または代替として、写真要素が、２つ以上の層を横断して混成され、それらの層がより疎らにスタックされる場合でも、明視野内の層間の遷移の知覚される連続性を増加させ得る（すなわち、一方の層は隣接する層の乱信号円錐域外にある）。ディスプレイサブシステム１０４は、単眼または双眼であり得る。
【００５９】
したがって、ディスプレイサブシステム１０４は、１つ以上の仮想オブジェクトの画像をユーザに提示する、ピクセル情報の一連の合成画像フレームを生成する。例えば、図５を参照すると、合成画像フレーム１１８が、図式的に図示され、セル１２０ａ−１２０ｍは、水平行または列１２２ａ−１２２ｎに分割されている。フレーム１１８の各セル１２０は、セル１２０が対応するそれぞれのピクセルのための複数の色および／または強度の各々のための値を規定し得る。例えば、フレーム１１８は、各ピクセルのために、赤色のための１つ以上の値１２４ａ、緑色のための１つ以上の値１２４ｂ、および青色のための１つ以上の値１２４ｃを規定し得る。値１２４は、色の各々のためのバイナリ表現、例えば、色の各々のためのそれぞれの４ビット数として規定され得る。フレーム１１８の各セル１２０は、加えて、振幅を規定する値１２４ｄを含み得る。
【００６０】
フレーム１１８は、１つ以上のフィールド（集合的に、１２６）を含み得る。フレーム１１８は、単一フィールドから成り得る。代替として、フレーム１１８は、２つまたはさらにより多くのフィールド１２６ａ−１２６ｂを備え得る。フレーム１１８の完全な第１のフィールド１２６ａのためのピクセル情報は、完全な第２のフィールド１２６ｂのためのピクセル情報の前に規定され得、例えば、アレイ、順序付けられたリスト、または他のデータ構造（例えば、記録、リンクされたリスト）において第２のフィールド１２６ｂのためのピクセル情報の前に生じる。提示サブシステムが３つ以上のフィールド１２６ａ−１２６ｂをハンドリングするように構成されると仮定すると、第３またはさらに第４のフィールドが、第２のフィールド１２６ｂに続き得る。
【００６１】
ここで図６を参照すると、フレーム１１８は、ラスタ走査パターン１２８を使用して生成される。ラスタ走査パターン１２８では、ピクセル１３０（１つのみ指図される）が、連続して提示される。ラスタ走査パターン１２８は、典型的には、左から右に、（矢印１３２ａ、１３２ｂによって示される）、次いで、上から下に（矢印１３４によって示される）、ピクセルを提示する。したがって、提示は、右上角から開始し、ラインの終了に到達するまで、第１のライン１３６ａを横断して左にトラバースし得る。ラスタ走査パターン１２８は、典型的には、次いで、次の下のラインにおいて左から開始する。提示は、１つのラインの終了から次のラインの開始まで戻るとき、一時的にブラックアウトまたはブランクにされ得る。このプロセスは、最下のライン１３６ｎが、例えば、最右下ピクセルにおいて完了するまで、ライン毎に繰り返される。フレーム１１８が完了すると、新しいフレームが、再び開始され、次のフレームの最上ラインの右に戻る。再び、提示は、次のフレームを提示するために左下から右上に戻る間、ブランクにされ得る。
【００６２】
ラスタ走査の多くの実装は、インターレース走査パターンと称されるものを採用する。インターレースラスタ走査パターンでは、第１および第２のフィールド１２６ａ、１２６ｂからのラインは、インターレースされる。例えば、第１のフィールド１２６ａのラインを提示するとき、第１のフィールド１２６ａのためのピクセル情報は、奇数ラインのためだけに使用され得る一方、第２のフィールド１２６ｂのためのピクセル情報は、偶数ラインのためだけに使用され得る。したがって、フレーム１１８（図５）の第１のフィールド１２６ａのラインは全て、典型的には、第２のフィールド１２６ｂのラインの前に提示される。第１のフィールド１２６ａは、第１のフィールド１２６ａのピクセル情報を使用して提示され、ライン１、ライン３、ライン５等を連続して提示し得る。次いで、フレーム１１８（図５）の第２のフィールド１２６ｂは、第２のフィールド１２６ｂのピクセル情報を使用することによって、第１のフィールド１２６ａに続いて提示され、ライン２、ライン４、ライン６等を連続して提示し得る。
【００６３】
図７を参照すると、スパイラル走査パターン１４０が、ラスタ走査パターン１２８の代わりに使用され、フレーム１１８を生成し得る。スパイラル走査パターン１４０は、コイルまたはループとして実証され得る、１つ以上の完全な角度サイクル（例えば、３６０度）を含み得る単一のスパイラル走査ライン１４２から成り得る。図６に図示されるラスタ走査パターン１２８と同様、スパイラル走査パターン１４０におけるピクセル情報は、角度が増えるにつれて、各連続的なピクセルの色および／または強度を規定するために使用される。振幅または半径方向値１４６は、スパイラル走査ライン１４２の開始点１４８からの半径方向寸法を規定する。
【００６４】
図８を参照すると、リサージュ走査パターン１５０が、代替として、使用され、フレーム１１８を生成し得る。リサージュ走査パターン１５０は、コイルまたはループとして実証され得る、１つ以上の完全な角度サイクル（例えば、３６０度）を含み得る単一のリサージュ走査ライン１５２から成り得る。代替として、リサージュ走査パターン１５０は、リサージュ走査ライン１５２をネスト化するために各々が互いに対して位相シフトされる２つ以上のリサージュ走査ライン１５２を含み得る。ピクセル情報は、角度が増えるにつれて、各連続的なピクセルの色および／または強度を規定するために使用される。振幅または半径方向値は、リサージュ走査ライン１５２の開始点１５６からの半径方向寸法１５４を規定する。
【００６５】
図９を参照すると、マルチフィールドスパイラル走査パターン１５８が、代替として、使用され、フレーム１１８を生成し得る。マルチフィールドスパイラル走査パターン１５８は、２つ以上の異なるスパイラル走査ライン（集合的に、１６０）、具体的には、４つのスパイラル走査ライン１６０ａ−１６０ｄを含む。各スパイラル走査ライン１６０のためのピクセル情報は、フレームのそれぞれのフィールドによって規定され得る。有利には、複数のスパイラル走査ライン１６０は、スパイラル走査ライン１６０の各連続するもの間の位相を単にシフトさせることによってネスト化され得る。差異スパイラル走査ライン１６０間の位相は、採用されるであろうスパイラル走査ライン１６０の総数の関数となるはずである。例えば、４つのスパイラル走査ライン１６０ａ−１６０ｄは、９０度位相シフトによって分離され得る。例示的実施形態は、１０の異なるスパイラル走査ライン（すなわち、サブスパイラル）を伴って、１００Ｈｚリフレッシュレートで動作し得る。図７の実施形態と同様、１つ以上の振幅または半径方向値は、スパイラル走査ライン１６０の開始点１６４からの半径方向寸法１６２を規定する。
【００６６】
図４に戻って参照すると、仮想画像生成システム１００はさらに、エンドユーザ５０の頭部５４の位置および移動ならびに／またはエンドユーザ５０の眼の位置および眼間距離を検出するために、フレーム構造１０２に搭載される１つ以上のセンサ（図示せず）を備えている。そのようなセンサは、画像捕捉デバイス（カメラ等）、マイクロホン、慣性測定ユニット、加速度計、コンパス、ＧＰＳユニット、無線デバイス、および／またはジャイロスコープ）を含み得る。
【００６７】
例えば、一実施形態では、仮想画像生成システム１００は、１つ以上の慣性変換器を含み、エンドユーザ５０の頭部５４の移動を示す慣性尺度を捕捉する頭部装着型変換器サブシステム１２６を備えている。そのようなものは、エンドユーザ５０の頭部の移動についての情報を感知、測定、または収集するために使用され得る。例えば、そのようなものは、エンドユーザ５０の頭部５４の測定移動、速度、加速度、および／または位置を検出するために使用され得る。
【００６８】
仮想画像生成システム１００はさらに、１つ以上の前向きカメラ１２８を備え、それらは、エンドユーザ５０が位置する環境についての情報を捕捉するために使用され得る。前向きカメラ１２８は、その環境およびその環境内の特定のオブジェクトに対するエンドユーザ５０の距離および向きを示す情報を捕捉するために使用され得る。頭部装着型であるとき、前向きカメラ１２８は、特に、エンドユーザ５０が位置する環境およびその環境内の特定のオブジェクトに対するエンドユーザ５０の頭部５４の距離および向きを示す情報を捕捉するために好適である。前向きカメラ１２８は、例えば、頭部の移動、頭部の移動の速度、および／または加速を検出するために採用され得る。前向きカメラ１２８は、例えば、少なくとも部分的に、エンドユーザ５０の頭部５４の向きに基づいて、例えば、エンドユーザ５０の注意の中心を検出または推測するために採用され得る。向きは、任意の方向（例えば、エンドユーザ５０の基準フレームに対して上／下、左、右）において検出され得る。
【００６９】
仮想画像生成システム１００は、エンドユーザ５０の眼５２の移動、瞬き、および焦点深度を追跡するための一対の後向きカメラ１２９をさらに備えている。そのような眼追跡情報は、例えば、光をエンドユーザの眼に投影し、その投影された光の少なくとも一部の戻りまたは反射を検出することによって、判別され得る。
【００７０】
仮想画像生成システム１００はさらに、患者の向き検出モジュール１３０を備えている。患者の向きモジュール１３０は、エンドユーザ５０の頭部５４の瞬時位置を検出し、センサから受信された位置データに基づいて、エンドユーザ５０の頭部５４の位置を予測し得る。有意には、エンドユーザ５０の頭部５４の瞬時位置の検出は、エンドユーザ５０が見ている特定の実際のオブジェクトの決定を促進し、それによって、その実際のオブジェクトのために生成されるべき特定のテキストメッセージの指示を提供し、さらに、テキストメッセージがストリーミングされるべきテキスト領域の指示を提供する。患者の向きモジュール１３０はまた、センサから受信された追跡データに基づいて、エンドユーザ５０の眼５２を追跡する。
【００７１】
仮想画像生成システム１００はさらに、多種多様な形態のいずれかをとり得る制御サブシステムを備えている。制御サブシステムは、いくつかのコントローラ、例えば１つ以上のマイクロコントローラ、マイクロプロセッサまたは中央処理ユニット（ＣＰＵ）、デジタル信号プロセッサ、グラフィック処理ユニット（ＧＰＵ）、他の集積回路コントローラ、例えば、特定用途向け集積回路（ＡＳＩＣ）、プログラマブルゲートアレイ（ＰＧＡ）、例えば、フィールドＰＧＡ（ＦＰＧＡＳ）、および／またはプログラマブル論理コントローラ（ＰＬＵ）を含む。
【００７２】
図示される実施形態では、仮想画像生成システム１００は、中央処理ユニット（ＣＰＵ）１３２と、グラフィック処理ユニット（ＧＰＵ）１３４と、１つ以上のフレームバッファ１３６とを備えている。ＣＰＵ１３２は、全体的動作を制御する一方、ＧＰＵ１３４は、遠隔データリポジトリ１５０内に記憶される３次元データからフレームをレンダリングし（すなわち、３次元場面を２次元画像に変換し）、これらのフレームをフレームバッファ１３６内に記憶する。図示されないが、１つ以上の追加の集積回路が、フレームのフレームバッファ１３６の中への読み込みおよび／またはそこからの読み取りならびにディスプレイサブシステム１０４の走査デバイスの動作を制御し得る。フレームバッファ１４６の中への読み込みおよび／またはそこからの読み取りは、動的アドレス指定を採用し得、例えば、フレームは、オーバーレンダリングされる。仮想画像生成システム１００はさらに、読み取り専用メモリ（ＲＯＭ）１３８と、ランダムアクセスメモリ（ＲＡＭ）１４０とを備えている。仮想画像生成システム１００はさらに、３次元データベース１４２を備え、そこからＧＰＵ１３４は、フレームをレンダリングするための１つ以上の場面の３次元データにアクセスすることができる。
【００７３】
仮想画像生成システム１００の種々の処理コンポーネントは、分散型サブシステム内に物理的に含まれ得る。例えば、図１０ａ−１０ｄに図示されるように、仮想画像生成システム１００は、有線導線または無線接続性１４６等によって、ディスプレイサブシステム１０４およびセンサに動作可能に結合されるローカル処理およびデータモジュール１４４を備えている。ローカル処理およびデータモジュール１４４は、フレーム構造１０２に固定して取り付けられる（図１０ａ）、ヘルメットもしくは帽子５６に固定して取り付けられる（図１０ｂ）、ヘッドホン内に埋設される、エンドユーザ５０の胴体５８に除去可能に取り付けられる（図１０ｃ）、またはベルト結合式構成においてエンドユーザ５０の腰６０に除去可能に取り付けられる（図１０ｄ）等、種々の構成で搭載され得る。仮想画像生成システム１００はさらに、有線導線または無線接続性１５０、１５２等によって、ローカル処理およびデータモジュール１４４に動作可能に結合される遠隔処理モジュール１４８および遠隔データリポジトリ１５０を備え、これらの遠隔モジュール１４８、１５０は、互いに動作可能に結合され、ローカル処理およびデータモジュール１４４に対してリソースとして利用可能である。
【００７４】
ローカル処理およびデータモジュール１４４は、電力効率的プロセッサまたはコントローラとフラッシュメモリ等のデジタルメモリとを備え得、両方とも、センサから捕捉されたデータ、および／または、おそらくそのような処理または読み出し後、ディスプレイサブシステム１０４への通過のために、遠隔処理モジュール１４８および／または遠隔データリポジトリ１５０を使用して取得ならびに／もしくは処理されたデータの処理、キャッシュ、および記憶を補助するために利用され得る。遠隔処理モジュール１４８は、データおよび／または画像情報を分析ならびに処理するように構成される１つ以上の比較的に強力なプロセッサまたはコントローラを備え得る。遠隔データリポジトリ１５０は、比較的に大規模なデジタルデータ記憶設備を備え得、これは、インターネットまたは「クラウド」リソース構成における他のネットワーキング構成を通して利用可能であり得る。一実施形態では、全データが、記憶され、全計算は、ローカル処理およびデータモジュール１４４において行われ、任意の遠隔モジュールからの完全に自律的使用を可能にする。
【００７５】
前述の種々のコンポーネント間の結合１４６、１５２、１５４は、有線もしくは光学通信を提供するための１つ以上の有線インターフェースもしくはポート、または無線通信を提供するためのＲＦ、マイクロ波、およびＩＲ等を介した１つ以上の無線インターフェースもしくはポートを含み得る。いくつかの実装では、全ての通信は、有線であり得る一方、他の実装では、全ての通信は、無線であり得る。なおもさらなる実装では、有線および無線通信の選択は、図１０ａ−１０ｄに図示されるものと異なり得る。したがって、有線または無線通信の特定の選択は、限定と見なされるべきではない。
【００７６】
図示される実施形態では、患者の向きモジュール１３０は、ローカル処理およびデータモジュール１４４内に含まれる一方、ＣＰＵ１３２およびＧＰＵ１３４は、遠隔処理モジュール１４８内に含まれるが、代替実施形態では、ＣＰＵ１３２、ＧＰＵ１２４、またはその一部は、ローカル処理およびデータモジュール１４４内に含まれ得る。３Ｄデータベース１４２は、遠隔データリポジトリ１５０に関連付けられることができる。
【００７７】
ここで図１１および１２を参照すると、ディスプレイ画面１１０は、一次導波管装置２００を備えている。一次導波管装置２００は、１つ以上の一次平面導波管２０２（１つのみが図１１および１２に示される）と、一次導波管２０２の少なくともいくつかの各々に関連付けられた１つ以上の回折光学要素（ＤＯＥ）２０４（１つのみが図１１および１２に示される）とを含む。図１２に最良に図示されるように、各一次導波管２０２は、第１の端部２０６ａと、第２の端部２０６ｂとを有し、第２の端部２０６ｂは、一次導波管２０２の長さ２０８に沿って第１の端部２０６ａと対向する。一次導波管２０２の各々は、第１の面２１０ａと、第２の面２１０ｂとを有し、少なくとも第１および第２の面２１０ａ、２１０ｂ（集合的に、２１０）は、一次導波管２０２の長さ２０８の少なくとも一部に沿って少なくとも部分的に内部反射光学経路（矢印２１２ａおよび破線矢印２１２ｂ、集合的に、２１２によって図示される）を形成する。一次導波管２０２は、定義された臨界角未満において面２１０に衝打する光に対して、実質的全内部反射（ＴＩＲ）を提供する種々の形態をとり得る。一次導波管２０２の各々は、例えば、ガラス、溶融シリカ、アクリル、またはポリカーボネートの面板もしくは平面の形態をとり得る。
【００７８】
ＤＯＥ２０４（点鎖二重線によって図１１および１２に図示される）は、ＴＩＲ光学経路２１２を中断する多種多様な形態をとり得、一次導波管２０２の内部２１６と外部２１８との間に複数の光学経路（矢印２１４ａおよび破線矢印２１４ｂ、集合的に、２１４によって図示される）を提供し、複数の光学経路は、一次導波管２０２の長さ２０６の少なくとも一部に沿って延びている。ＤＯＥ２０４は、見掛けオブジェクトおよび見掛けオブジェクトのための焦点面の位置付けを可能にし得る。これは、フレーム毎、サブフレーム毎、またはさらにピクセル毎に達成され得る。
【００７９】
図１２に図示されるように、光は、ＴＩＲ伝搬から生じる少なくともいくつかの反射または「跳ね返り」を伴って、一次導波管２０２に沿って伝搬する。いくつかの実装は、反射を促進し得る１つ以上の反射体（例えば、薄膜、誘電コーティング、金属化コーティング等）を内部光学経路内に採用し得ることに留意されたい。光は、一次導波管２０２の長さ２０８に沿って伝搬し、長さ２０８に沿う種々の位置において１つ以上のＤＯＥ２０４と交差する。ＤＯＥ２０４は、一次導波管２０２内に組み込まれるか、または一次導波管２０２の面２１０のうちの１つ以上のものに接触もしくは隣接し得る。ＤＯＥ２０４は、少なくとも２つの機能を遂行する。ＤＯＥ２０４は、光の角度をシフトさせ、光の一部に、ＴＩＲから逃散させ、一次導波管２０２の１つ以上の面２１０を介して内部２１６から外部２１８に現れさせる。ＤＯＥ２０４は、外部結合される光を１つ以上の視認距離において集中させる。したがって、一次導波管２０２の面２１０ａを通して見る者は、１つ以上の視認距離にデジタル画像を見る。
【００８０】
図１３ａ−１３ｃを参照すると、ディスプレイ画面１１０は、分配用導波管装置２２２を備え、光を第１の軸（図１１ａにおける垂直またはＹ−軸）に沿って中継し、光の有効射出瞳を第１の軸（例えば、Ｙ−軸）に沿って拡張させる。分配用導波管装置２２２は、例えば、１つ以上の分配用平面導波管２２４（１つのみが示される）と、分配用平面導波管２２４の各々に関連付けられたＤＯＥ２２６（二重点鎖線によって図示される）とを含み得る。分配用平面導波管２２４は、少なくともいくつかの点において、それと異なる向きを有する一次導波管２０２と同様または同じであり得る。同様に、ＤＯＥ２２６も、少なくともいくつかの点において、ＤＯＥ２０４と同様または同じであり得る。例えば、分配用平面導波管２２０および／またはＤＯＥ２２６は、それぞれ、一次導波管２０２および／またはＤＯＥ２０４と同一材料から成り得る。
【００８１】
中継され、射出瞳が拡張された光は、分配用導波管装置２２２から一次導波管２０２の中に光学的に結合される。一次導波管２０２は、光を、一実施形態では、第１の軸に直交する、第２の軸（例えば、図１３ａの水平またはＸ−軸）に沿って中継する。特に、第２の軸は、第１の軸と非直交軸であることもできる。一次導波管２０２は、光の有効射出瞳をその第２の軸（例えば、Ｘ−軸）に沿って拡張させる。特に、分配用平面導波管２２４は、光を垂直またはＹ−軸に沿って中継および拡張させ、その光を一次導波管２０２に通過させることができ、一次導波管２０２は、光を水平またはＸ−軸に沿って中継および拡張させる。
【００８２】
ディスプレイ画面１１０は、光学無限遠より近くに位置付けられることが可能な単一焦点面に画像を生成し得る。コリメートされた光は、図１３ｂに示されるように、全内部反射によって分配用平面導波管２２４に沿って垂直に伝搬し、そうすることにおいて、ＤＯＥ２２６と繰り返し交差する。ＤＯＥ２２６は、一実施形態では、低回折効率（例えば、５０％未満）を有する。これは、光の一部（例えば、１０％）がＤＯＥ２２６との交差点の各点においてより大きい一次平面導波管２０２の縁に向かって回折されるようにし、光の一部に、ＴＩＲを介して分配用平面導波管２２４の長さに沿ってその元の軌道を継続させる。ＤＯＥ２２６との交差点の各点において、追加の光が、一次導波管２０２の入口に向かって回折される。入って来る光を複数の外部結合された組に分割することによって、光の射出瞳は、分配用平面導波管２２４内のＤＯＥ２２６によって垂直に拡張される。分配用平面導波管２２４からの結合されたこの垂直に拡張された光は、一次導波管２０２の縁に入る。
【００８３】
一次導波管２０２に入る光は、ＴＩＲを介して一次導波管２０２に沿って水平に伝搬する（図１３ｂに示されるように）。光は、それがＴＩＲを介して一次導波管２０２の長さの少なくとも一部に沿って水平に伝搬するにつれて、複数の点においてＤＯＥ２０４と交差する。ＤＯＥ２０４は、有利には、線形回折格子と放射対称な回折レンズとの総和である位相プロファイルを有するように設計または構成され得る。ＤＯＥ２０４は、有利には、低回折効率を有し得る。伝搬する光とＤＯＥ２０４との間の交差点の各点において、光の一部は、一次導波管２０２の隣接する面に向かって回折され、光がＴＩＲから逃散し、一次導波管２０２の面から現れることを可能にする。ＤＯＥ２０４の放射対称なレンズ実施形態は、加えて、焦点レベルを回折される光に付与し、個々のビームの光波面を成形することと（例えば、曲率を付与する）、設計される焦点レベルに一致する角度にビームを操向することとの両方を行う。図１３ｂに図示されるように、４つのビーム２２８ａ−２２８ｄが、焦点２２８まで幾何学的に延び、各ビームは、有利には、凸面波面プロファイルを付与され、その凸面波面は、画像または仮想オブジェクト２３０ａを所与の焦点面に生成するための焦点２２８に半径の中心を有している。
【００８４】
図１３ｃを参照すると、ディスプレイ画面１１０は、多焦点立体ディスプレイ、画像、または明視野を生成し得る。第１の４つのビームの組２２８ａ−２２８ｄは、焦点２３０ａまで幾何学的に延び、各ビーム２２８ａ−２２８ｄは、有利には、凸面波面プロファイルを付与され、焦点２３０ａにおける半径の中心は、画像または仮想オブジェクト２３２ａの別の部分をそれぞれの焦点面において生成する。第２の４つのビームの組２２８ｅ−２２８ｈは、焦点２３０ｂまで幾何学的に延び、各ビーム２２８ｅ−２２８ｈは、有利には、凸面波面プロファイルを付与され、焦点２３０ｂにおける半径の中心は、画像または仮想オブジェクト２３２ｂの別の部分をそれぞれの焦点面において生成する。
【００８５】
図１１−１３に図示されるディスプレイサブシステム１０４の実施形態では、単一投影サブシステム１０８が、画像データをディスプレイ画面１１０に提供するために使用される。図１１−１３に図示されるディスプレイシステムと対照的に、ディスプレイサブシステム１０４は、複数の投影サブシステム１０８ａ−１０８ｅ（５つのみが示され、集合的に、１０８）を備え、図１４に図示されるように、それぞれの画像データをディスプレイ画面１１０に提供し得る。投影サブシステム１０８は、概して、ディスプレイ画面１１０の縁２３４に沿ってアレイ化または配列され、かつそれに沿って配置される。例えば、平面導波管２０２の数と投影サブシステム１０８の数との間には、１対１（１：１）の比率または相関が存在し得る。
【００８６】
ディスプレイサブシステム１０４は、単一の一次平面導波管２０２の使用を可能にすることができる。複数の投影サブシステム１０８は、例えば、エンドユーザの頭部のこめかみに最も近い一次平面導波管２０２の縁２３４に沿って線形アレイで配置されることができる。各投影サブシステム１０８は、サブ画像データをエンコードする変調された光を一次平面導波管２０２の中に異なるそれぞれの位置から投入し、したがって、光の異なる経路を生成する。これらの異なる経路は、多様なＤＯＥによって、異なる角度、焦点レベルにおいて光が一次平面導波管２０２の外に結合されることを生じさせること、および／または、異なる充填パターンを射出瞳においてもたらすことができる。射出瞳における異なる充填パターンは、明視野ディスプレイを作成するために有益に使用されることができる。スタックまたはスタック内の層の組（例えば、３層）における各層は、それぞれの色（例えば、赤色、青色、緑色）を生成するために採用され得る。したがって、例えば、第１の３つの隣接する層の組は、赤色、青色、および緑色光を第１の焦点深度にそれぞれ生成するために採用され得る。第２の３つの隣接する層の組は、赤色、青色、および緑色光を第２の焦点深度にそれぞれ生成するために採用され得る。複数の組は、種々の焦点深度を伴う完全３Ｄまたは４Ｄ色画像フィールドを生成するために採用され得る。
【００８７】
ここで図１５を参照すると、各平面導波管２０２は、複数のＤＯＥ２０４ａ−２０４ｄ（それぞれ、二重点鎖線として４つが図示され、集合的に、２０４）を含み得る。ＤＯＥ２０４は、ディスプレイ画面１１０の視野と略平行な軸２３６に沿ってスタック、アレイ化、または配列される。全て内部にあるように図示されるが、いくつかの実装では、ＤＯＥ２０４のうちの１つ、それを上回るもの、またはさらに全てが、一次導波管２０２の外部にあり得る。
【００８８】
いくつかの実装では、各ＤＯＥ２０４は、独立して、オンおよびオフが切り替えられることが可能であり得る。すなわち、各ＤＯＥ２０４は、それぞれのＤＯＥ２０４がそれぞれのＤＯＥ２０４と交差する光の有意な割合を回折するように、アクティブにされることができるか、または、それぞれのＤＯＥ２０４がそれぞれのＤＯＥ２０４と交差する光を全く回折しないかもしくは光の有意ではない割合のみを回折するかのいずれかであるように、非アクティブにされることができる。「有意な」とは、本文脈では、一次導波管２０２から外に結合されるとき、ヒト視覚系によって知覚されるために十分な光を意味し、「有意ではない」とは、ヒト視覚系によって知覚されるために十分ではない光、または視認者によって無視されるほど十分に低いレベルを意味する。
【００８９】
切り替え可能なＤＯＥ２０４は、一次平面導波管２０２内の１つのみのＤＯＥ２０４が、一次平面導波管２０２内の光をアクティブに回折し、一次平面導波管２０２の１つ以上の面２１０から知覚可能量で現れるように、一度に１つずつオンに切り替えられ得る。代替として、２つ以上のＤＯＥ２０４は、それらの回折効果が組み合わせられるように、同時にオンに切り替えられ得る。
【００９０】
ＤＯＥの組内の各ＤＯＥ２０４は、異なる位相マップを有することができる。例えば、各ＤＯＥ２０４は、各ＤＯＥ２０４が、オンに切り替えられると、光をＸ、Ｙ、またはＺにおける異なる位置に向かわせるように、それぞれの位相マップを有することができる。ＤＯＥ２０４は、それらの線形格子実施形態および／またはそれらの放射対称な回折レンズ実施形態において、例えば、互いから変動し得る。ＤＯＥ２０４がその回折レンズ実施形態において互いから変動する場合、異なるＤＯＥ２０４（またはＤＯＥ２０４の組み合わせ）は、サブ画像を異なる光学視認距離、すなわち、異なる焦点距離に生成するであろう。ＤＯＥ２０４がそれらの線形格子実施形態において互いから変動する場合、異なるＤＯＥ２０４は、互いに対して側方シフトされたサブ画像を生成するであろう。そのような側方シフトは、中心窩ディスプレイを作成すること、非均質分解能または他の非均質ディスプレイパラメータ（例えば、輝度、ピーク波長、偏光等）を伴うディスプレイ画像を異なる側方位置に操向させること、走査される画像のサイズを増加させること、射出瞳の特性における変動を生成すること、および／または明視野ディスプレイを生成することを行うために有益に使用されることができる。側方シフトは、有利には、タイル表示を事前形成するために、または、タイル表示効果を生成された画像において実現するために採用され得る。
【００９１】
例えば、組内の第１のＤＯＥ２０４が、オンに切り替えられると、一次導波管２０２の一次または放出面２１０ａを見ている視認者のために、画像を１メートルの光学視認距離（例えば、図１３ｃにおける焦点２３０ｂ）に生成し得る。組内の第２のＤＯＥ２０４は、オンに切り替えられると、一次導波管２０２の一次または放出面２１０ａを見ている視認者のために、画像を１．２５メートルの光学視認距離（例えば、図１３ｂにおける焦点２３０ａ）に生成し得る。例示的ＤＯＥ２０４を急速な時系列で（例えば、フレーム毎、サブフレーム毎、ライン毎、サブライン毎、ピクセル毎、またはサブピクセル毎に）オンおよびオフに切り替え、投影サブシステム１０８によって一次導波管２０２の中に投入されている画像データを同期して変調させることによって、視認者に単一場面であるように知覚される複合多焦点立体画像が、形成される。異なるＤＯＥ２０４によって、異なるオブジェクトまたはオブジェクトの一部を視認者の眼に中継されるサブ画像にレンダリングすることによって（図１３ｃにおける場所２３２ｂにおいて）、仮想オブジェクトもしくは画像が異なる光学視認距離に設置されること、または仮想オブジェクトもしくは画像が複数の焦点面を通して延びている３Ｄ立体として表されることができる。
【００９２】
ここで図１６を参照すると、ディスプレイ画面１１０は、複数の平面導波管２０２ａ−２０２ｄ（４つが示され、集合的に、２０２）を備え得る。一次導波管２０２ａ−２００ｄは、ディスプレイ画面１１０の視野と略平行な軸２３６に沿ってスタック、アレイ化、または配列される。一次導波管２０２の各々は、少なくとも１つのＤＯＥ２０４（図１６では、点鎖二重線によって図示され、１つのみが指図される）を含む。全て内部にあるように図示されるが、いくつかの実装では、ＤＯＥ２０４のうちの１つ、それを上回るもの、またはさらに全てが、一次導波管２０２の外部にあり得る。加えて、または代替として、平面導波管２０２あたりＤＯＥ２０４の単一線形アレイを用いて図示されるが、一次導波管２０２のうちの１つ以上のものは、図１５に関して説明される実装と同様、２つ以上のスタック、アレイ化、または配列されたＤＯＥ２０４を含み得る。
【００９３】
一次導波管２０２の各々は、図１５の実施形態におけるＤＯＥ２０４の動作と同様に機能し得る。すなわち、それぞれの平面導波管２０２のＤＯＥ２０４の各々は、それぞれの位相マップを有し得、種々のＤＯＥ２０４の位相マップは、互いに異なる。ＤＯＥ２０４の動的切り替え（例えば、オン／オフ）が、図１５の実施形態で採用されたが、これは、図１６の実施形態では回避されることができる。動的切り替えの代わりに、またはそれに加えて、ディスプレイシステム１１０は、それぞれの位相マップに基づいて、光を一次導波管２０２に選択的にルーティングし得る。したがって、所望の位相マップを有する特定のＤＯＥ２０４をオンにするのではなく、ディスプレイシステム１１０は、所望の位相マッピングを伴うＤＯＥ２０４を有する、またはそれに関連付けられた特定の平面導波管２０２に光をルーティングし得る。再び、これは、ＤＯＥ２０４の動的切り替えの代わりであるか、またはそれに加えてであり得る。
【００９４】
一例では、投影サブシステムは、それぞれの位相マップに基づいて、選択的に動作させられ、光を一次導波管２０２に選択的にルーティングし得る。別の例では、各ＤＯＥ２０４は、図１５の実施形態におけるＤＯＥ２０４のオンおよびオフの切り替えを参照して説明されたものと同様、独立して、オンおよびオフに切り替えられることが可能であり得る。ＤＯＥ２０４は、それぞれの位相マップに基づいて、オンおよびオフに切り替えられ、光を一次導波管２０２に選択的にルーティングし得る。
【００９５】
図１６に図示されるように、光線は、一次導波管のうちの２つ、２０２ａ、２０２ｄから外向きに発する。例証目的のために、第１の平面導波管２０２ａは、平面または平坦波面（光線２４０についての平坦線２３８によって図示され、図面を明確にするために、各々のうちの１つのみの事例が指図されている）を無限焦点距離に生成する。対照的に、一次導波管のうちの別の１つ、２０２ｄは、凸面波面（光線２４４について弧２４２によって図示され、図面を明確にするために、各々のうちの１つのみの事例が指図されている）を無限遠未満の定義された焦点距離（例えば、１メートル）に生成する。図１７に図示されるように、一次導波管２０２は、外観および／または光学視認距離を側方にシフトさせ得る（すなわち、射出瞳２４８に対する仮想オブジェクト２４６ａ−２４６ｃの異なる焦点距離）。
【００９６】
図１１−１３に戻って参照すると、投影サブシステム１０８は、光を生成する（例えば、異なる色の光を定義されたパターンで放出する）１つ以上の光源２５０と、制御信号に応答して、光を所定の走査パターン（例えば、図５−９に関して前述のもの等）で走査する走査デバイス２５２と、走査デバイス２５２からの光をディスプレイ画面１１０の中に結合する光学結合サブシステム２５４とを含む。
【００９７】
光源２５０は、多種多様な形態のいずれかをとり得、例えば、ピクセル情報またはデータのそれぞれのフレーム内で規定された定義されたピクセルパターンに従って、赤色、緑色、および青色のコヒーレントなコリメートされた光をそれぞれ生成するように動作可能なＲＧＢレーザの組（例えば、赤色、緑色、および青色光を出力可能なレーザダイオード）。レーザ光は、高色飽和を提供し、非常にエネルギー効率的である。
【００９８】
走査デバイス２５２は、１つ以上の光ファイバ２５６（例えば、単一モード光ファイバ）を備え、それらの各々は、光が光源２５０から受け取られる近位端２５６ａと、そこから光が部分的に透明なディスプレイ画面１１０に提供される遠位端２５６ｂとを有する。図１８に最良に示されるように、光ファイバ２５６は、開口２５６ｃ（想像線で示される）を備え、光は、そこから光ファイバ２５６の遠位端２５６ｂを出る。捩れ等の断続性回折光学要素または反射要素（図示せず）が、開口２５６ｃに隣接して光ファイバ２５６の中に組み込まれ、それによって、光を開口２５６ｃを通して光ファイバ２５６から軸外に向かわせることができる。走査デバイス２５２はさらに、光ファイバ２５６が搭載される機械的駆動アセンブリ２５８を備えている。駆動アセンブリ２５８は、光ファイバ２５６の遠位端２５６ｂを走査パターンに従って変位させるために構成される。
【００９９】
この目的を達成するために、駆動アセンブリ２０８は、光ファイバ２５６が搭載される圧電要素２６４を備え、駆動電子機器２６６は、電気信号を圧電要素２６４に伝達し、それによって、光ファイバ２５６の遠位端２５６ｂに走査パターンに従って振動させるために構成される。したがって、光源２５０および駆動電子機器２６６の動作は、空間的および／または時間的に変動する光の形態でエンコードされる画像データを生成する様式で調整される。
【０１００】
図示される実施形態では、圧電要素２６４は、中空管の形態をとり、その場合、光ファイバ２５６の遠位端２５６ｂは、圧電管２６４を通され、またはそれを通して受け取られる。光ファイバ２５６の遠位端２５６ｂは、圧電管２６４から突出する。圧電管２６４は、４つの象限電極（図示せず）に関連付けられる。電極は、例えば、圧電管２６４の外側、外側表面、または外側周縁もしくは直径上にめっきされ得る。コア電極（図示せず）もまた、管２６４のコア、中心、内側周縁、または内径に位置する。
【０１０１】
駆動電子機器２６６は、ワイヤ２７０を介して電気結合され、圧電管２６４を２つの軸において独立して曲げるように対向する対の電極（図示せず）を駆動する。光ファイバ２５６の突出遠位端２５６ｂは、機械的共振モードを有する。共振の周波数は、光ファイバ２５６の直径、長さ、および材料特性に依存する。圧電管２６４を光ファイバ２５６の第１の機械的共振モードの近傍で振動させることによって、光ファイバ２５６は、振動させられる。共振振動を２つの軸において刺激することによって、光ファイバ２５６の遠位端２５６ｂは、エリア充填２Ｄ走査において２軸方向において走査される。光ファイバ２５６の走査と同期して光源２５０の強度を変調させることによって、光ファイバ２５６から現れる光は、画像を形成する。
【０１０２】
とりわけ、光ファイバ２５６の遠位端２５６ｂが図２および３に示されるものに類似する固定−自由可撓性カンチレバーとして圧電管２６４から突出する従来の場合では、走査デバイス２５２から放出される光は、比較的に大きな弧に及ぶであろう。修正を伴わない場合、比較的に大きな光学導波管入力装置２７２が、光ファイバ２５６の遠位端２５６ｂにおける比較的に大きな振れに対処するために必要とされるであろう。
【０１０３】
図１８に示されるように、光ファイバ２５６の遠位先端２５６ｄは、例えば、延長部またはコネクタ（図示せず）を介して等、好適な手段を使用して平面導波管装置２００に対して取り付けられ（例えば、それに取り付けられ）、それによって、固定−固定カンチレバー構成を形成する（すなわち、光ファイバ２５６が圧電管２６４と平面導波管装置２００との間に取り付けられる）。したがって、遠位先端２５６ｄが平面導波管装置２００に取り付けられるので、遠位先端２５６ｄは、出力された光が支点と一致する縦軸から発散するように、支点を中心として変位させられない（図２および３に図示されるように）。むしろ、開口２５６ｃを含む光ファイバ２５６の部分は、出力された光が回折光学要素が及ぶ比較的に小エリアに内向きに収束するように、遠位先端２５６ｄと平面導波管装置２００との間の取り付け点を中心としてしなる（以下にさらに詳細に説明される）。
【０１０４】
開口２５６ｃは、開口２５６ｃによって放出される光の角度が、光ファイバ２５６が振動しているとき、光ファイバ２５６の変化する角度に対して固定された角度を有するように、受動的かつ固定的であることに留意されたい。例えば、光ファイバ２５６は、３つの異なるたわみ、したがって、３つの異なる局所角度を有するように図１９に図示される。放出される光の角度が、光ファイバ２５６の局所角度に対して４５度に固定される場合、光ビームは、軸外を指すであろうが、より小さいエリア、例証目的のために、焦点２７８に収束するであろう。
【０１０５】
図１１−１３に戻って参照すると、簡単に前述されたように、光学結合サブシステム２５４は、光を走査デバイス２５２から導波管装置１０２に光学的に結合する。光学結合サブシステム２５４は、光を導波管装置１０２の端部の中に光学的に結合するための光学導波管入力装置２７２、例えば、１つ以上の反射表面、回折格子、ミラー、ダイクロイックミラー、またはプリズムを含む。光学結合サブシステム２５４は、加えて、または代替として、光ファイバ２５６からの光をコリメートする、コリメート要素２７４を含む。以下にさらに詳細に説明されるであろうように、コリメート要素２７４は、光ファイバ２５６上に取り付けられるか、または光学導波管入力装置２７２に対して取り付けられる（例えば、その上に取り付けられる）かのいずれかであり得る。
【０１０６】
図２０ａに図示される一例では、コリメート要素２７４は、光ファイバ２５６に、特に、光ファイバ２５６の開口２５６ｃ内に搭載される。コリメート要素２７４は、溶融または研磨等によって開口２５６ｃ内に形成される単一レンズを備え得る。
【０１０７】
コリメート要素２７４の場所にかかわらず、光は、コリメート要素２７４から光学導波管入力装置２７２の中心における焦点２７８に内向きに収束させられる。とりわけ、光を光学導波管入力装置２７２の中心に集中させることは、光学導波管入力装置２７２のサイズが最小化されることを可能にする。すなわち、光を光学導波管入力装置２７２の中心に集中させることは、光学導波管入力装置２７２の縁における掃引光経路の最悪の場合の発散スパンを最小化する。例えば、光が、図２０ｃに図示されるように、光学導波管入力装置２７２の正面縁上に集中させられる場合、光学導波管入力装置２７２は、光学導波管入力装置２７２の後縁における掃引光経路のより大きい発散スパンに対処するためにより大きく作製されなければならない。光は、例証目的のために、焦点上に収束するように前述されたが、出力された光は、以下にさらに詳細に説明されるように、光学導波管入力装置２７２内に含まれる回折光学要素が及ぶ比較的に小エリアに内向きに収束し得ることを理解されたい。
【０１０８】
ここで図２１ａを参照すると、走査デバイス２５２と光学導波管入力装置２７２の一実施形態との間の相互作用が、説明されるであろう。この場合、光学導波管入力装置２７２は、分配用導波管装置２２２の形態をとり、図１３ａ−１３ｃに関して説明される関連付けられた分配用導波管２２４およびＤＯＥ２２６ａ−２２６ｅを伴う。図２０ａに示されるように、光は、コリメート要素２７４からＤＯＥ２２６ｃ上に収束させられ、それによって、ＤＯＥ２２６のサイズを最小化する。その結果、分配用導波管２２４の全体的幅は、最小化される。光は、次いで、一次導波管２０２ａ−２０２ｅのうちの１つ以上のものに沿って選択的に伝達される。
【０１０９】
ここで図２１ｂを参照すると、ＤＯＥ２２６は、代替として、直接、一次導波管装置２００の中に組み込まれることができる。この場合、ＤＯＥ２２６は、導波管装置２００の一次平面導波管２０２ａ−２０２ｅに沿って平行にそれぞれ延びており、ＤＯＥ２２６は、それぞれ、光学変調装置２７６からの光を一次導波管２０２に沿うように向かわせる。図２１ｂに示されるように、光は、コリメート要素２７４からＤＯＥ２２６ｃ上に収束させられ、それによって、ＤＯＥ２２６のサイズを最小化する。焦点２７８は、入力光学変調装置２７６の中心にあるので、ＤＯＥ２２６ａおよび２２６ｅの長さは、最悪の場合のＤＯＥ２２６を最小化するために、等しくされることができる。その結果、導波管装置２００の全体的サイズは、最小化される。
【０１１０】
本発明の特定の実施形態が、図示および説明されたが、本発明を実施形態に限定することを意図するものではなく、種々の変化および修正が本発明の精神ならびに範囲から逸脱することなく成され得ることが、当業者に明白となるであろうことを理解されたい。したがって、本発明は、請求項によって定義された本発明の精神および範囲内に含まれ得る、代替、修正、ならびに均等物を網羅することが意図される。
【図１】
0006792607.tif 000002
【図２】
0006792607.tif 000003
【図３】
0006792607.tif 000004
【図４】
0006792607.tif 000005
【図５】
0006792607.tif 000006
【図６】
0006792607.tif 000007
【図７】
0006792607.tif 000008
【図８】
0006792607.tif 000009
【図９】
0006792607.tif 000010
【図１０Ａ】
0006792607.tif 000011
【図１０Ｂ】
0006792607.tif 000012
【図１０Ｃ】
0006792607.tif 000013
【図１０Ｄ】
0006792607.tif 000014
【図１１】
0006792607.tif 000015
【図１２】
0006792607.tif 000016
【図１３Ａ】
0006792607.tif 000017
【図１３Ｂ】
0006792607.tif 000018
【図１３Ｃ】
0006792607.tif 000019
【図１４】
0006792607.tif 000020
【図１５】
0006792607.tif 000021
【図１６】
0006792607.tif 000022
【図１７】
0006792607.tif 000023
【図１８】
0006792607.tif 000024
【図１９】
0006792607.tif 000025
【図２０Ａ】
0006792607.tif 000026
【図２０Ｂ】
0006792607.tif 000027
【図２０Ｃ】
0006792607.tif 000028
【図２１Ａ】
0006792607.tif 000029
【図２１Ｂ】
0006792607.tif 000030